(57)【要約】      （修正有）【課題】車内トイレ具において、入り口は成型型により作られる容器体の用具で人の皮膚に近づけて漏れないように凸状に本体からせり出して継続して内側に煙突状に本体壁面より突出した入り口を持つことを特徴とするブロー成形トイレ具の提供。【解決手段】車内トイレ具１をブロー成型により制作し、トイレ具の入り口３を内側に煙突状に本体壁面より突出させ、煙突状部７端に金型ナイフエッジ部で極薄部を作り破断により入り口を作ることを特徴とする。【選択図】図１
2019146943.tif 000002
【特許請求の範囲】
【請求項１】
ブロー成形により作られる車内トイレ具であって入り口は成型型により作られる容器体の用具で人の皮膚に近づけて漏れないように凸状に本体からせり出して継続して内側に煙突状に本体壁面より突出した入り口を持つことを特徴とするブロー成形トイレ具。
【請求項２】
請求項１において入り口を形成する入り口端部はブロー成型の型が円周上にもしくは楕円状にナイフエッジが設けられている。ブロー成型された容器体は入り口端部のプラスチック肉厚が極薄の部分が形成されて、冷えたブロー成形トイレ具がその口壁に外力を加えると極薄部に沿って破壊が起きて入り口が形成されることを特徴したブロー成形トイレ具。
【発明の詳細な説明】
【技術分野】
【０００１】本発明はトイレのない場所での用足しに関する
【背景技術】
【０００２】従来長距離ドライブの時問題になるトイレのない場所での用足しにおいて車内で密閉容器に汚水尿を入れる方法があった。しかし密閉容器に入れた汚水尿を持って捨てにいく事は他人に見られる等で女性では特に困難であった【０００３】そのために車内で用を足してかつ汚水尿を車外に出すトイレ具が必要とされた。尿をゲル状に固める等の方法もあったが自宅に帰るまでの長い時間にその汚水尿の匂いが車内に充満する欠点があった。
【発明の開示】
【発明が解決しようとする課題】
【０００４】ブロー成形車内トイレ具はブロー成形により作られる防水型の容器で天井がありかつサイドに入り口があり下部にロート状の溜部とそれに連なる排出管を持つ。排出管は人目につかないように細管が求められる。しかるに細い管に一度に多量の汚水尿の場合ロート状溜部の汚水面が上昇してトイレ具入り口からこぼれ落ちる危険性があった。【０００５】トイレ具の入り口制作は肌に接触する部分なので入り口にバリヤとげがあると困るので制作工程は困難さがありコストがかさんだ。【０００６】本発明はこのような点に鑑みてなされた物でその目的は少ない工程で入り口のとげやバリが肌に接触することもなく汚水尿の液面が溜部で上昇してきてもこぼれないトイレ具を提供することにある。
【課題を解決するための手段】
【０００７】上記の目的を達成するために本発明のブロー成形車内トイレ具はブロー成形により作られる車内トイレ具である。入り口は成型型により作られる用具で人の皮膚に近づけて漏れないように凸状に本体からせり出して継続して内側に煙突状に本体壁面より突出した入り口を持つことを特徴とする。【０００８】入り口を形成する入り口端部はブロー成型の型が円周上にもしくは楕円状にナイフエッジが設けられている。ブロー成型された容器体は入り口端部のプラスチック肉厚が極薄の部分が形成されて、冷えたブロー成形トイレ具がその口壁に外力を加えると極薄部に沿って破壊が起きて入り口が形成されることを特徴したブロー成形トイレ具。
【発明の効果】
【０００９】以上説明したように本発明によればブロー成型による制作方法で入り口が凸状にせり出しているので人体にあてがいやすく使いやすい。又細い排出管のためにロート状の溜部に尿が溜まり尿液面が上昇してきても煙突状部があるためにこぼれにくい。【００１０】煙突状部端はブロー成型の時に金型のナイフ状部のためブロー成形トイレ具容器体が形成された後冷えたときに口壁に外力を加えると肉薄の部分から破壊を起こして入り口が形成され完成品が容易にできて有効である。
【発明を実施するための最良の形態】
【００１１】
【図面の簡単な説明】以下本発明を図面に基ずき詳細に説明する。図１は使用状態の容器断面図図１に示すように  ブロー成形トイレ具１は天井２がありサイドに入り口３があり下部に溜部４それに連なる排出管５がある。入り口は人の肌に近づけて漏れないように凸状部６のように本体からせり出して継続して内側に煙突状部７のように本体壁面より突出した入り口３を持つことを特徴とする車内トイレ具。【００１２】入り口が内側に煙突状に突出しているので汚水尿８が排出管５が細いために上昇してきても入り口からこぼれることを防止している。入り口もブロー成型でつくられる。本体から凸状にせり出した凸状部６継続して内側に内側に煙突状に本体壁面より突出した入り口３を形成する煙突状部７。これらは一体成型であり人間の肌を傷つけることはない。この煙突状部７があるために上昇してきた汚水正面８もこぼれることが防止される。【００１３】  図２はブロー成形時の左金型９と右金型１０の内部の溶けたプラウチック１１と金型ナイフエッジ１３を示した断面図である。金型ナイフエッジ１３はブロー成型の時容器体の肉厚を部分的に極薄部１４で薄くする。【００１４】熱で溶けたプラスチック袋体１１は内側から圧縮空気１２により膨張して右金型９と左金型１０の壁面に接触して冷えて形成される。【００１５】ブロー成型の高圧力で金型の壁に押しつけられて成型される。この時左金型９のナイフエッジ部１３によりブロー成形トイレ具の容器体の一部を薄くする。この部分が容器体の入り口となる。【００１６】［図３］は左ブロー成型金型９のナイフエッジ部１３とプラスチック容器体１の肉厚が極端に薄くなった極薄部１４の拡大断面図。ブロー整形後冷えた容器体の通常肉厚部１５にたいしてナイフエッジ部極薄部１４は極端に肉厚が薄くなっている。薄くなった極薄部は冷えている状態では外力で容易に破壊する。この破壊により入り口を形成する。【００１７】図４は冷えたブロー成形トイレ具の横断面図図４では冷えたブロー成形トイレ具の容器体が外力により容易に口壁１６が破壊される。口壁１６が破壊され容器体から離脱することにより入り口が形成され製品となる。容器体内部に脱落した口壁部１６は煙突部７から外に出して廃棄する。外力により容器体内部に脱落した口壁部１６は煙突部７から外に出して廃棄する。ブロー成型方法なので男性用、女性用子供用など自由に設計製作ができる。ブロー成形トイレ具は製造工程が少なく安価に製造できるという特徴がある【００１８】図５は煙突状部７とナイフエッジ部１３が外力により破壊された口壁１６の斜視図。  ブロー成型トイレ具は口壁部１６を外力で煙突部７から分離するたけで完成するので安価に製造できる。
【実施例】
【００１９】ブロー成形トイレ具は入り口の形が円形の男性用、楕円状の女性用と自由に設計製造できる。外出時女性は公園などでの不潔なトイレ環境で用を足すことが困難な場合が多いので有効である。公園のトイレのなかでブロー成形トイレ具を使うと不潔なトイレでも便座を使わず用を足せるので有効である。
【符号の説明】１        ブロー成形トイレ具本体２        天井３        入口４        溜部５        排出管６        凸状部７        煙突状部８        汚水尿面９        左金型１０      右金型１１      溶けたプラスチック１２      空気圧１３      ナイフエッジ部１１４      極薄部１５      ブロー成型通常肉厚部１６      口壁１７      尿
【図１】
2019146943.tif 000003
【図２】
2019146943.tif 000004
【図３】
2019146943.tif 000005
【図４】
2019146943.tif 000006
【図５】
2019146943.tif 000007